(57)【特許請求の範囲】
【請求項１】
本体ケースと、
前記本体ケース内に設けられた絶縁性基板と、
前記絶縁性基板の表面から所定間隔を存して配置された放電電極と、
前記絶縁性基板に接する対向電極と、
前記放電電極と前記対向電極とに電圧を印加する電源と、
前記絶縁性基板を覆うように塗布された、近傍の水分を吸着する吸着手段とを備え、
前記絶縁性基板は、開口部を有し、
この開口部の前記放電電極側の開口縁は、外方に拡開する拡開傾斜面とするとともに前記吸着手段により覆われ、
前記放電電極の先端は、前記拡開傾斜面を有する開口部に対して垂直方向に対向配置することを特徴とする活性種発生装置。
【請求項２】
前記放電電極は、前記絶縁性基板の開口部の中心垂直軸上に位置することを特徴とする請求項１に記載の活性種発生装置。
【請求項３】
前記絶縁性基板の開口部は、円形状であることを特徴とする請求項１または２に記載の活性種発生装置。
【請求項４】
前記吸着手段は、前記絶縁性基板の開口部の拡開斜面の中程にいくほど膜厚が厚くなるような曲面を形成することを特徴とする請求項１〜３のいずれか１つに記載の活性種発生装置。
【請求項５】
前記吸着手段は、吸着剤と接着剤とを有し、前記絶縁性基板に塗布された前記吸着剤は、前記接着剤により前記絶縁性基板に接着されることを特徴とする請求項１〜４のいずれか１つに記載の活性種発生装置。
【請求項６】
前記絶縁性基板は、セラミック基板により形成されていることを特徴とする請求項１〜５のいずれか１つに記載の活性種発生装置。
【請求項７】
前記セラミック基板は、シリカ、アルミ、マグネシウムのうちいずれか１つを含むことを特徴とする請求項６に記載の活性種発生装置。
【請求項８】
前記セラミック基板は、アルミナ基板であることを特徴とする請求項６または７に記載の活性種発生装置。
【請求項９】
前記絶縁性基板は樹脂基板により形成されていることを特徴とする請求項１〜５のいずれか１つに記載の活性種発生装置。
【請求項１０】
前記樹脂基板はフッ素樹脂基板であることを特徴とする請求項９に記載の活性種発生装置。
【請求項１１】
前記吸着剤は前記接着剤よりも平均粒子径が大きいことを特徴とする請求項５〜１０のいずれか１つに記載の活性種発生装置。
【請求項１２】
前記吸着剤は表面に細孔を有し、前記細孔の穴は、前記接着剤の平均粒子径より小さいことを特徴とする請求項１１に記載の活性種発生装置。
【請求項１３】
前記電源は、前記放電電極と前記対向電極間に、３〜１０ＫＶの正または負の電圧を印加することを特徴とする請求項１〜１２のいずれか１つに記載の活性種発生装置。
【発明の詳細な説明】
【技術分野】
【０００１】
本発明は、室内空間の除菌や脱臭などを行う活性種発生装置に関するものである。
【背景技術】
【０００２】
近年、空気中にラジカルなどの活性種を供給し、この活性種による清浄化作用により、この空気を清浄化する活性種発生装置が開発されている。
【０００３】
従来のこの種、活性種発生装置は、本体ケースと、放電電極と、この放電電極に対向する対向電極と、これらの放電電極と対向電極とに電圧を印加する電源と、対向電極の表面に設けた吸着手段とを備えた構成であった（例えば特許文献１参照）。
【先行技術文献】
【特許文献】
【０００４】
【特許文献１】特開２００６−３２０６１３号公報
【発明の概要】
【発明が解決しようとする課題】
【０００５】
上記従来の活性種発生装置は、放電電極と対向電極間に電圧を印加することで、コロナ放電を行わせ、これによって吸着手段に吸着した水分を分解し、活性種を発生させるようになっていた。
【０００６】
このような構成において、コロナ放電によって放電電極と対向電極間に流れる電流は、放電電極から導電体である対向電極への最短経路となる吸着手段の厚み方向に流れ易いので、放電電極の近傍の狭い範囲に集中して電子が流れやすい傾向があった。狭い範囲に電流が集中することによって、集中的に生成した高濃度の活性種が、吸着手段の劣化を起こす可能性があった。また、集中的に生成した活性種が吸着手段を剥離させて放電電極と対向電極間で火花放電を発生させる可能性があり、安全性を高めることが求められている。
【０００７】
そこで、本発明は、放電電極と対向電極の絶縁性を高め、安全性を高めるとともに、より広い範囲で活性種を生成させることにより、活性種の発生量を増加して、活性種による浄化作用を向上させることを目的とするものである。
【課題を解決するための手段】
【０００８】
そして、この目的を達成するために本発明は、本体ケースと、前記本体ケース内に設けられた絶縁性基板と、前記絶縁性基板の表面から所定間隔を存して配置された放電電極と、前記絶縁性基板に接する対向電極と、前記放電電極と前記対向電極とに電圧を印加する電源と、前記絶縁性基板を覆うように塗布された、近傍の水分を吸着する吸着手段と、を備え、前記絶縁性基板は、開口部を有し、この開口部の前記放電電極側の開口縁は、外方に拡開する拡開傾斜面とするとともに前記吸着手段により覆われ、前記放電電極の先端は、前記拡開傾斜面を有する開口部に対して垂直方向に対向配置する構成とし、これにより所期の目的を達成するものである。
【発明の効果】
【０００９】
以上のように本発明は、本体ケースと、前記本体ケース内に設けられた絶縁性基板と、前記絶縁性基板の表面から所定間隔を存して配置された放電電極と、前記絶縁性基板に接する対向電極と、前記放電電極と前記対向電極とに電圧を印加する電源と、前記絶縁性基板を覆うように塗布された、近傍の水分を吸着する吸着手段と、を備え、前記絶縁性基板は、開口部を有し、この開口部の前記放電電極側の開口縁は、外方に拡開する拡開傾斜面とするとともに前記吸着手段により覆われ、前記放電電極の先端は、前記拡開傾斜面を有する開口部に対して垂直方向に対向配置する構成としたものであるので、放電電極と対向電極の絶縁性を高め、安全性を高めるとともに、より広い範囲で活性種を生成させることにより、活性種の発生量を増加して、活性種による浄化作用を向上させることができる。
【００１０】
すなわち、本発明においては、本体ケースと、前記本体ケース内に設けられた絶縁性基板と、前記絶縁性基板の表面から所定間隔を存して配置された放電電極と、前記絶縁性基板に接する対向電極と、前記放電電極と前記対向電極とに電圧を印加する電源と、前記絶縁性基板を覆うように塗布された、近傍の水分を吸着する吸着手段と、を備えたことにより、放電電極と対向電極間に高電圧が印加された場合でも、放電電極と対向電極間を流れる電流は、放電電極から絶縁性基板の外周に位置する吸着手段を面方向に流れた後に、対向電極へと到達することになる。
【００１１】
つまり、放電電極と対向電極間に高電圧が印加された場合でも、放電電極と対向電極間の沿面距離が長くなり、電子が吸着手段を介してより長い距離にわたって流れることになるため、瞬間的な短絡による火花放電が起こりにくく、その結果として、安全性の向上が図れるものである。また、放電電極と対向電極間の沿面距離が長くなることにより、放電範囲が広がり、より広い範囲から活性種が生成するため、安全性の向上が図れるものである。
【００１２】
また、さらに、本発明においては、前記絶縁性基板は、開口部を有し、この開口部の前記放電電極側の開口縁は、外方に拡開する拡開傾斜面とするとともに前記吸着手段により覆われ、前記放電電極の先端は、前記拡開傾斜面を有する開口部に対して垂直方向に対向配置することにより、開口部の開口縁が傾斜しない場合と比較して、開口部の開口縁の拡開傾斜面の傾斜が、放電電極に対向する吸着手段の表面積と吸着手段の存在量を増加させるので、放電電極から放出された電子がより多く吸着手段の表面に到達することになる。
【００１３】
その結果、吸着手段に吸着した水分がより多くコロナ放電により分解され、活性種の発生量を増加することにより、活性種による浄化作用の向上が図れるものである。
【図面の簡単な説明】
【００１４】
【図１】本発明の実施の形態１における活性種発生装置を設置する屋内の斜視図
【図２】同活性種発生装置の断面図
【図３】同活性種発生装置の断面図
【図４】同活性種発生装置における絶縁性基板および吸着手段部分の側面図
【図５】同活性種発生装置における絶縁性基板、吸着手段、放電電極、対向電極、支持部材を示す側断面図
【図６】同活性種発生装置における絶縁性基板、対向電極、支持部材を示す斜視図
【図７】絶縁性基板、対向電極、支持部材の構成を示す展開図
【図８】絶縁性基板を対向電極側から見たときの平面図
【図９】同活性種発生装置におけるプラスコロナ放電の概念を示す図
【図１０】同活性種発生装置におけるマイナスコロナ放電の概念を示す図
【発明を実施するための形態】
【００１５】
（実施の形態１）
以下、本発明の実施の形態について、図面を参照しながら説明する。
【００１６】
図１に示すように、部屋１の床２上には、活性種発生装置３が配置されている。
【００１７】
この活性種発生装置３は、部屋１内の空気中にラジカルなどの活性種を供給することで、この活性種による清浄化作用により、空気を清浄化するものである。
【００１８】
図２は、図１における活性種発生装置３の断面図を示している。図３は、図２とは部品配置が異なる活性種発生装置３の断面図を示している。この活性種発生装置３を起動させると、プラスチック製の本体ケース４側面に設けられた吸込口５から、部屋１内の空気が本体ケース４内に流入する。本体ケース４内に流入した空気は、送風機６により本体ケース４内の上部まで移動する。
【００１９】
本体ケース４内の上方には、セラミック又は、フッ素などの樹脂製の板状の絶縁性基板７が設けられている。この絶縁性基板７は、空気の流れに対して、図２では平行、図３では垂直方向に支持部材１８によって本体ケース４に固定されている。
【００２０】
絶縁性基板７は、セラミック基板であっても、フッ素などの樹脂基板であっても良い。セラミック基板として、シリカ、アルミ、マグネシウムのうちいずれか１つを含む基板であっても、アルミナ基板であっても良い。オゾンやラジカルで腐食されにくい無機系のものあるいはフッ素樹脂であれば良いためである。
【００２１】
絶縁性基板７の表面抵抗は、１０10Ω／□以上であることが望ましい。
【００２２】
更に、この絶縁性基板７と対向する位置に数ミリメートル〜数十ミリメートル程度の所定距離を隔てて、コロナ放電をさせるＳＵＳやタングステンなどを用いた放電電極１２が配置され、さらに、絶縁性基板７には対向電極１３が設けられている。
【００２３】
放電電極１２は、棒状またはワイヤ状であり、その先端の形状は、先端に向かって径が小さくなった針形状、または、放電電極１２の長手方向に対して略垂直な断面としたものでもよい。
【００２４】
放電電極の先端と反対の端部が、電源１４に接続されている。
【００２５】
対向電極１３は、ＳＵＳなどのステンレス、アルミ、金、銀、銅などで形成されている。なお、対向電極１３の素材は、これらに限られること無く、導電性の素材であれば良い。
【００２６】
対向電極１３の表面抵抗は、１０-1Ω／□以下であることが望ましい。
【００２７】
放電電極１２は、電源１４により印加されると、放電電極１２の先端から放電する。電流は、放電電極１２から、絶縁性基板７の表面２２を覆う吸着手段８の表面を経由して、対向電極１３に流れる。
【００２８】
図４、図５、図６、図７および図８を用いて説明する。
【００２９】
図４は、絶縁性基板７および吸着手段８部分の側面図である。
【００３０】
図５は、図３の部品配置における絶縁性基板７、吸着手段８、放電電極１２、対向電極１３、支持部材１８を示す側断面図である。
【００３１】
図６は、図２の部品配置における絶縁性基板７、対向電極１３、支持部材１８を示す斜視図である。
【００３２】
図７は、図２の部品配置における絶縁性基板７、対向電極１３、支持部材１８の構成を示す展開図である。
【００３３】
図８は、絶縁性基板７を対向電極１３側から見たときの平面図である。
【００３４】
図５から図８に示すように、絶縁性基板７は、放電電極１２と対向する表面２２と、裏面２３と、表面２２と裏面２３の外周においてこれらの表面２２と裏面２３に接続された側面２４を有している。絶縁性基板７は四角形であり、表面２２から裏面２３に貫通する開口部２０を有している。なお、図６、図７では、吸着手段８は、他の構成を分かりやすくするため、図示していない。
【００３５】
なお、絶縁性基板７の形状は、本実施の形態では、四角形であるが、後述する吸着手段８を設けるための面積を有していれば、円形・長方形・六角形等の他の形状でもよい。
【００３６】
なお、図８に示すように、絶縁性基板７の開口部２０は、円形状としてもよい。これにより、放電電極１２に高電圧をかけることにより放電電極１２の先端から発生するイオン風が、円形状の開口部２０を効率よく通過して、送風機６により送風される空気中に放出されるので、絶縁性基板７を覆う吸着手段８の表面に生じた活性種が吸着手段８の表面から移動し、拡散しやすくなるという効果を奏する。
【００３７】
図５に示すように、開口部２０の放電電極１２側の開口縁は、外方に拡開する拡開傾斜面２１となっている。
【００３８】
すなわち、表面２２の開口部２０の径は、裏面２３の開口部２０の径より大きくなるように、拡開傾斜面２１が傾斜している。
【００３９】
絶縁性基板７の開口部２０の周囲および開口部２０の拡開傾斜面２１は、吸着手段８により覆われている。この吸着手段８は、図４に示すように、水を吸着する平均粒子径０．５マイクロメートルから数十マイクロメートル程度の粒子で構成されたゼオライトなどの吸着剤９を有している。更に、吸着手段８は、吸着剤９と、絶縁性基板７を接着するコロイダルシリカなどの接着剤１０を有している。
【００４０】
この吸着手段８を構成する吸着剤９は、表面に細孔１１を有しているため、接着剤１０は、ゼオライトなどの吸着剤９の平均粒子径より小さく、ゼオライトの表面に開いている細孔１１よりも大きい平均粒子径であれば良い。また、細孔１１を閉塞させなければ、接着剤１０としてガラス粉や、シリケート化合物を用いてもよい。
【００４１】
本実施の形態における吸着剤９は、細孔１１に空気中の水蒸気を吸着させるものであるが、細孔１１が接着剤１０の粒子で埋まりにくい平均粒子径であれば、空気中の水蒸気を吸着することができる。なお、吸着剤９は接着剤１０よりも平均粒子径が大きいものであっても良い。
【００４２】
また、本実施の形態では、吸着剤９としてゼオライトを例に挙げたが、吸着剤９は、ナノレベルの細孔１１を有し、いわゆるＫｅｌｖｉｎの毛管凝縮現象により細孔内で水蒸気が凝縮し得るような細孔を有する構造を有する多孔質構造体であれば、シリカ、ゼオライト、デシカイト、アロフィン、イモゴライトなどでも、これらのうちいずれか１つを含むものでも良い。また、粒子間の隙間を利用して水を吸着する、多孔質アルミナ、多孔質シリカ、多孔質チタニアであっても良い。
【００４３】
対向電極１３は、絶縁性基板７と吸着手段８に接するように配置される。
【００４４】
これにより、放電電極１２と対向電極１３間を流れる電流は、例えば放電電極１２から絶縁性基板７の表面２２を覆う吸着手段８を流れた後に、対向電極１３へと到達することになり、つまり沿面距離が長いので、その結果として火花放電が起こらず、安全性の向上が図れるものである。
【００４５】
なお、絶縁性基板７の表面２２を覆う吸着手段８は、半導電性であり、吸着手段８の表面抵抗は、１０6から１０10Ω／□であることが望ましい。放電電極１２と対向電極１３間との間に高電圧が印加されたとき、電流は一方の電極から放電されて絶縁性基板７の表面２２を覆う吸着手段８を伝って他方の電極へと流れる。この際に、本体ケース４内に設けられた絶縁性基板７と、絶縁性基板７から所定距離を隔てて配置された放電電極１２と、絶縁性基板７の表面２２を覆う吸着手段８に接する対向電極１３と、絶縁性基板７の表面２２を覆うとともに、絶縁性基板７の近傍の水分を吸着する吸着手段８を設けることにより、電子が移動する距離であるいわゆる沿面距離が伸びることとなる。これにより火花放電の発生を低減させることができ、安全性が向上するのである。
【００４６】
なお、絶縁性基板７の表面２２を覆う吸着手段８の膜厚は、均一であることが望ましい。
【００４７】
表面２２抵抗を均一にするためである。
【００４８】
吸着手段８は、絶縁性基板７の表面２２にスクリーン印刷によりスキージで半導電インクを塗布したものである。半導電インクは、ゼオライトなどの吸着剤およびコロイダルシリカなどの接着剤１０を含み、前記成分を溶剤に混合あるいは溶解させたものである。絶縁性基板７の開口部２０上をスクリーンを介してスキージが通過することにより、開口部２０の拡開傾斜面２１に、半導電インクが、押し出され、押し出された半導電インクは、開口部２０の拡開傾斜面２１の斜面の中程２５にいくほど膜厚が厚くなるような曲面を形成して拡開傾斜面２１を覆う。従って、吸着手段８は、絶縁性基板７の開口部２０の拡開傾斜面２１の中程にいくほど膜厚が厚くなるような曲面を形成する。
【００４９】
このように、開口部２０の拡開傾斜面２１は、吸着手段８により覆われている。
【００５０】
これにより、開口部２０の開口縁が傾斜しない場合と比較して、放電電極１２の先端に対向する開口縁の面積、つまり、拡開傾斜面２１の面積が増加する。その結果、放電電極１２の先端に対向する拡開傾斜面２１を覆う吸着手段８の表面積も増加する。また、拡開傾斜面２１上に接着される吸着手段の存在量が増加する。
【００５１】
これにより、放電電極１２の先端から放出された電子がより多く吸着手段８の表面に到達することになる。これにより、吸着手段８に吸着した水分がより多くコロナ放電により分解され、活性種の発生量を増加することにより、活性種による浄化作用の向上を図ることができるのである。
【００５２】
放電電極１２は、その先端を絶縁性基板７の表面２２の開口部２０に向けるように対向して配置され、放電電極１２の先端と絶縁性基板７の表面２２との間に数ミリメートル〜数十ミリメートル程度の所定距離を隔て、開口部２０内側に位置するように突設されている。
【００５３】
また、放電電極１２は、絶縁性基板７の開口部２０の中心垂直軸上に位置するという構成にしてもよい。すなわち、放電電極１２は、その長手方向の中心軸が、開口部２０の投影面の略中心垂直軸上に位置するように配置するという構成にしてもよい。これにより、放電電極１２に高電圧をかけることにより放電電極１２の先端から発生するイオン風が、絶縁性基板７の開口部２０の略中心方向に向けて流れるため、イオン風は、絶縁性基板７に遮られることなく、開口部２０を通過して、送風機６により送風される空気中に放出されるので、絶縁性基板７を覆う吸着手段８の表面に生じた活性種が吸着手段８の表面から移動し、拡散しやすくなるという効果を奏する。
【００５４】
対向電極１３は、吸着手段８と接していれば、絶縁性基板７の裏面２３又は側面２４に接して設けられているものであっても良い（図示なし）。これにより、放電電極１２から流れる電子が、絶縁性基板７の表面２２を覆う吸着手段８の表面を伝って流れる際に、電子の移動する距離である、いわゆる沿面距離が伸びることで、火花放電を起こりにくくなる。
【００５５】
なお、これに限られること無く、対向電極１３を絶縁性基板７の表面２２に設ける場合には、十分な沿面距離を確保した状態で配置することが必要となる。
【００５６】
また、図５に示すように、対向電極１３の表面には絶縁性被覆２６を設けてもよい。絶縁性被覆２６により、放電電極１２から対向電極１３へ直接到達して火花放電を起こすことが防止でき、さらに安全性の向上が図れるものである。これによって、十分な沿面距離を確保できない場合でも、安全性を確保することができる。絶縁性被覆としては、フッ素樹脂・塩ビ樹脂などの絶縁性テープを接着する方法、ガラスペースト・セラミック系接着剤を塗布して乾燥焼成する方法などを用いることができる。
【００５７】
放電電極１２に高電圧をかけることで、絶縁性基板７の表面２２を覆う吸着手段８の表面にてラジカルやオゾンや過酸化水素などの活性種が発生する。放電電極１２の先端から絶縁性基板７に向けてイオン風が発生し、このイオン風は、絶縁性基板７の開口部２０を通って、送風機により送風される空気中に放出されるので、絶縁性基板７を覆う吸着手段８の表面に生じた活性種が吸着手段８の表面から移動し、拡散しやすくなる。
【００５８】
すなわち、この放電電極１２に、電源１４により放電電圧をプラス約３〜１０ＫＶで印加を行うと、放電電極１２の表面に強い電界が形成される。放電電極１２にプラスの高電圧が印加されているため、空気中に存在する遊離電子が流れ込む。このとき、対向電極１３は、マイナス状態となっているので、その結果、電子が移動することで、対向電極１３から放電電極１２へ電子が流れる。この状態がコロナ放電であって、このコロナ放電の力で後述のごとく、ＯＨラジカル（活性種の一例）が発生する。
【００５９】
次に、図９のように、放電電極１２にプラスの電圧を印加した場合について説明を行う。
【００６０】
セラミック製の絶縁性基板７と吸着剤９は、接着剤１０により接着されている。吸着剤９の表面２２はナノレベルの細孔を有し、空気中の水分は、この細孔内で水蒸気が凝縮することにより、水分を吸着することが知られている（Ｋｅｌｖｉｎの毛管凝縮現象）。これにより、ゼオライトなどの吸着手段８に、空気中の水分が吸着され、電子が流れやすくなる。放電電極１２にプラスの高電圧を印加してプラスコロナ放電を行うと、吸着剤９中の電子は、放電電極１２に強い力で引き寄せられるため、電子が高速で移動する。電子が、吸着剤９の近くに有る酸素分子と衝突すると、酸素分子に電子が一つ増えた状態の酸素分子の陰イオンが発生する。その後、酸素分子陰イオンが、絶縁性基板７の表面２２に吸着された水分子と反応をすることで、ＯＨラジカルなどの活性種を発生する。吸着した水分の周辺でコロナ放電が起こることにより、水分が電子と反応しやすくなるため、ＯＨラジカルの発生をより行いやすくするものである。
【００６１】
なお、本実施の形態において放電電極１２は、プラスに印加したものであるが、この放電電極１２に印加する電圧はプラスであっても、マイナスであっても良い。
【００６２】
図１０のように、放電電極１２にマイナスの電圧を印加した場合について説明を行う。放電電極１２に、電源１４により放電電圧をマイナス約３〜１０ＫＶで印加を行うと、放電電極１２の表面に強い電界が形成される。放電電極１２にマイナスの高電圧が印加されているため、空気中に遊離電子が放出される。対向電極１３に接した絶縁性基板７は、プラス側となる。その結果、電子が移動することで、対向電極１３から放電電極１２へ電流が流れる。
【００６３】
放電電極１２から空気に放出された電子は、対向電極１３の強い電界に強い力で引き寄せられるため、電子が高速で移動し、空気中の分子などと衝突する。このとき高速で移動している電子が、空気中の酸素分子と衝突するすると、酸素分子に電子が一つ増えた状態の酸素分子の陰イオンが発生する。その後、酸素分子陰イオンが、絶縁性基板７の表面２２に吸着された水分子と反応をすることで、ＯＨラジカルが発生する。
【００６４】
上記のようなマイナスに印加された放電電極１２からの放電であるいわゆるマイナスコロナ放電を行うことにより、吸着手段８周辺の水分が電子と反応することにより、ＯＨラジカルの発生をより行いやすくするものである。
【００６５】
さらに、このように、放電電極１２と対向電極１３間に吸着手段８を介して面方向に電子が流れるため、沿面距離が長くなり、絶縁性基板７の表面２２を電流が伝って流れるものである。
【００６６】
以上、図９、図１０のようにして発生したＯＨラジカル（活性種）は、図２または図３の送風機６からの送風により、活性種発生装置３の排気口１５から室内へ排出される。このＯＨラジカルを含む空気を部屋１内に供給することで、空気中の菌を不活化することができる。また、空気中の臭いを分解して取り除くことで、脱臭効果を発揮させることができる。
【産業上の利用可能性】
【００６７】
以上のように本発明は、本体ケースと、前記本体ケース内に設けられた絶縁性基板と、前記絶縁性基板の表面から所定間隔を存して配置された放電電極と、前記絶縁性基板に接する対向電極と、前記放電電極と前記対向電極とに電圧を印加する電源と、前記絶縁性基板を覆うように塗布された、近傍の水分を吸着する吸着手段と、を備え、前記絶縁性基板は、開口部を有し、この開口部の前記放電電極側の開口縁は、外方に拡開する拡開傾斜面とするとともに前記吸着手段により覆われ、前記放電電極の先端は、前記拡開傾斜面を有する開口部に対して垂直方向に対向配置する構成としたものであるので、放電電極と対向電極の絶縁性を高め、安全性を高めるとともに、より広い範囲で活性種を生成させることにより、活性種の発生量を増加して、活性種による浄化作用を向上させることができる。
【００６８】
本体ケースと、前記本体ケース内に設けられた絶縁性基板と、前記絶縁性基板の表面から所定間隔を存して配置された放電電極と、前記絶縁性基板に接する対向電極と、前記放電電極と前記対向電極とに電圧を印加する電源と、前記絶縁性基板を覆うように塗布された、近傍の水分を吸着する吸着手段と、を備えたことにより、放電電極と対向電極間に高電圧が印加された場合でも、放電電極と対向電極間を流れる電流は、放電電極から絶縁性基板の外周に位置する吸着手段を面方向に流れた後に、対向電極へと到達することになる。
【００６９】
つまり、放電電極と対向電極間に高電圧が印加された場合でも、放電電極と対向電極間の沿面距離が長くなり、電子が吸着手段を介してより長い距離にわたって流れることになるため、瞬間的な短絡による火花放電が起こりにくく、その結果として、安全性の向上が図れるものである。また、放電電極と対向電極間の沿面距離が長くなることにより、放電範囲が広がり、より広い範囲から活性種が生成するため、安全性の向上が図れるものである。
【００７０】
また、さらに、本発明においては、前記絶縁性基板は、開口部を有し、この開口部の前記放電電極側の開口縁は、外方に拡開する拡開傾斜面とするとともに前記吸着手段により覆われ、前記放電電極の先端は、前記拡開傾斜面を有する開口部に対して垂直方向に対向配置することにより、開口部の開口縁が傾斜しない場合と比較して、開口部の開口縁の拡開傾斜面の傾斜が、放電電極に対向する吸着手段の表面積と吸着手段の存在量を増加させるので、放電電極から放出された電子がより多く吸着手段の表面に到達することになる。
【００７１】
その結果、吸着手段に吸着した水分がより多くコロナ放電により分解され、活性種の発生量を増加することにより、活性種による浄化作用の向上が図れるものである。
【００７２】
したがって、空気清浄機としての活用が期待される。
【符号の説明】
【００７３】
１    部屋
２    床
３    活性種発生装置
４    本体ケース
５    吸込口
６    送風機
７    絶縁性基板
８    吸着手段
９    吸着剤
１０  接着剤
１１  細孔
１２  放電電極
１３  対向電極
１４  電源
１５  排気口
１８  支持部材
２０  開口部
２１  拡開傾斜面
２２  表面
２３  裏面
２４  側面
２５  斜面の中程
２６  絶縁性被覆
【図１】
0005810260.tif 000002
【図２】
0005810260.tif 000003
【図３】
0005810260.tif 000004
【図４】
0005810260.tif 000005
【図５】
0005810260.tif 000006
【図６】
0005810260.tif 000007
【図７】
0005810260.tif 000008
【図８】
0005810260.tif 000009
【図９】
0005810260.tif 000010
【図１０】
0005810260.tif 000011